(57)【要約】【課題】禁則設定が発生した場合の対処法として、一律に後優先でなく、各種の要請に応じて個別に後優先を設定することができるプリンタドライバプログラムを提供する。【解決手段】禁則関係にある２つの設定項目のうちのいずれか一方を高優先度に設定する操作を受け付けるステップ、禁則関係にある２つの設定項目のうちの一方の設定項目に対する設定操作を受けたとき、他方の設定項目が未設定であって該一方の設定項目が高優先度に設定されている場合は、以後の該他方の設定項目の設定を禁止するステップ、禁則関係にある２つの設定項目のうちの一方の設定項目に対する設定操作を受けたとき、他方の設定項目が設定済みであって該２つの設定項目のいずれも高優先度に設定されていない場合、および、該他方の設定項目が設定済みであって該一方の設定項目が高優先度に設定されている場合は、該他方の設定項目の設定を解除するステップを有する。【選択図】図５
2017076199.tif 000002
【特許請求の範囲】
【請求項１】
操作部と表示部を備える情報処理装置で実行されるプリンタドライバプログラムであって、
前記表示部に、設定画面を表示させる表示制御ステップと、
前記操作部にて設定項目に対する設定操作を受ける設定受付ステップと、
禁則関係にある２つの設定項目のうちのいずれか一方を高優先度に設定する操作を受け付けてその設定内容を登録する優先度設定ステップと、
禁則関係にある２つの設定項目のうちの一方の設定項目に対する設定操作を受けたとき、他方の設定項目が未設定であって前記一方の設定項目が高優先度に設定されている場合は、以後の前記他方の設定項目の設定を禁止する第１禁則回避ステップと、
禁則関係にある２つの設定項目のうちの一方の設定項目に対する設定操作を受けたとき、他方の設定項目が設定済みであって前記２つの設定項目のいずれも高優先度に設定されていない場合、および、前記他方の設定項目が設定済みであって前記一方の設定項目が高優先度に設定されている場合は、前記他方の設定項目の設定を解除する第２禁則回避ステップと、
を有する
ことを特徴とするプリンタドライバプログラム。
【請求項２】
前記第１禁則回避ステップにおいて、前記他方の設定項目の設定釦をグレーアウトもしくは非表示にすることで、前記禁止を行う
ことを特徴とする請求項１に記載のプリンタドライバプログラム。
【請求項３】
前記第２禁則回避ステップで前記他方の設定項目の設定を解除した場合に、前記他方の設定項目の代替の設定項目であって前記一方の設定項目と禁則関係にない所定の設定項目を自動設定するステップをさらに有する
ことを特徴とする請求項１または２に記載のプリンタドライバプログラム。
【請求項４】
高優先度の第１設定項目に対する設定を解除した後、前記第１設定項目と禁則関係にある第２設定項目を設定する操作の流れが所定の複数回実施された場合に、前記第２設定項目が前記第１設定項目より高優先度になるように、前記登録の内容を変更するステップを有する
ことを特徴とする請求項１乃至３のいずれか１つに記載のプリンタドライバプログラム。
【請求項５】
第３設定項目に対する設定操作によって、前記第２禁則回避ステップで第４設定項目の設定が解除された回数が所定の複数回を超えた場合に、前記第３設定項目を前記第４設定項目に対して高優先度に設定して登録するステップをさらに有する
ことを特徴とする請求項１乃至４のいずれか１つに記載のプリンタドライバプログラム。
【発明の詳細な説明】
【技術分野】
【０００１】
本発明は、禁則設定が発生する場合に、ユーザの利便性に沿って、該禁則設定の回避制御を行うプリンタドライバプログラムに関する。
【背景技術】
【０００２】
印刷設定を行う場合において、物理的な制限や、制御上の制限等により、同時に設定されている状態では印刷を実行することができない機能の組み合わせ（この組み合わせを禁則関係と呼ぶ）があり、この組み合わせで機能が設定されている状態を禁則設定と呼ぶ。
【０００３】
禁則設定が発生した場合の従来の対処方法として、ユーザが禁則関係にある機能どうしを設定した場合に、プリンタドライバのＵＩ（User Interface）に禁則設定が発生した旨のメッセージを表示させ、ユーザに再設定を促す方法がある。そしてこの他にも、発生した禁則設定を解除する方法や、禁則設定の発生自体を防止するための方法が多数提案されている。
【０００４】
（方法１「先に設定した項目を優先する」）
たとえば、方法１では、ある機能が設定された場合に、禁則関係にある機能の設定釦をグレーアウトや非表示にすることで禁則設定の発生を防止する。具体例を挙げると、用紙種類：厚紙にステープルはできない制限がある場合において、用紙種類：厚紙が選択されたら、ステープル機能の釦をグレーアウトや非表示にすることでステープル機能をＯＮに設定できないようにする。
【０００５】
（方法２「後から設定した項目を優先する」）
方法２では、禁則設定が発生した場合に、後から設定した機能を残し、先に設定した機能を解除もしくは禁則設定にならない設定に変更することで、発生した禁則設定を解除している。
【０００６】
（方法３「予め優先順位を設定し、設定した優先順位に従う」）
方法３では、予め各機能に優先度を設定しておき禁則設定が発生したとき、高優先度の機能が後から設定された場合は優先度の低い機能を解除もしくは禁則設定にならない内容に変更し、低優先度の機能が後から設定された場合は禁則設定が発生した旨のメッセージを表示させ、ユーザに再設定を促している。
【０００７】
下記特許文献１に記載の方法では、前述した方法１〜方法３のうち、いずれの方法を採用するかをユーザが選択することができる。下記特許文献２には方法２が開示されている。下記特許文献３には方法３が開示されている。
【先行技術文献】
【特許文献】
【０００８】
【特許文献１】特開２０１４−９５９３３号公報
【特許文献２】特開２０１４−９２８９７号公報
【特許文献３】特開２０１１−２２６７９号公報
【発明の概要】
【発明が解決しようとする課題】
【０００９】
しかし、方法１では、たとえば前述の例において、ユーザが用紙種類よりもステープルを優先して実行したい場合は、ステープルの設定釦がグレーアウトして設定できないので、用紙種類をステープルが実行できる用紙種類に変更（例えば、普通紙）してから、ステープルを設定しなければならない。このとき、用紙種類の設定を行う画面（もしくはタブ）とステープルの設定を行う画面が離れている場合は、画面遷移（タブ移動）を繰り返す必要があり、ユーザの操作負担が発生するという問題がある。
【００１０】
方法２によれば、方法１のように、禁則関係にある機能を一度ＯＦＦにしてから、希望の設定を行うという手間は省略される。しかし、すべての条件で「後から設定した機能（項目）を優先する」が有用とは限らない。例えば、「カラー選択−グレースケール」に設定した状態で、「カラー選択−グレースケール」と禁則関係にある「光沢モード」をＯＮにすると「「カラー選択−カラー」に変更してもよいですか。」というメッセージが表示され、ＯＫボタンを押下したら、「カラー選択−カラー」の設定に変更される。このとき、認証印刷における認証者がモノクロ印刷限定ユーザである場合、「カラー選択−カラー」で印刷ジョブを送信すると、認証で拒否されて印刷がキャンセルされる場合がある。
【００１１】
また、「後から設定した項目（機能）を優先する」という方法が有用でない他の例として以下の場合がある。両面印刷を常に設定しておきたいが、両面印刷と禁則関係にある例えば、「用紙種類−厚紙」が選択された場合、「両面印刷を片面印刷に変更していいですか？」というメッセージが表示されたとき、ユーザが該メッセージをよく確認しないままＯＫ釦を押した場合には、印刷機から出力されてから、片面印刷だと気づき、その用紙が無駄になってしまう場合がある。
【００１２】
特許文献１に記載の方法３では、予め全ての機能について優先度が設定されており、ユーザがそれらを変更することができない。特許文献３に記載の方法３では、予め全ての機能についてユーザが優先度を設定しておかなければならず、手間がかかる。
【００１３】
本発明は、上記の問題を解決しようとするものであり、禁則設定が発生した場合の対処法として、一律に後優先でなく、各種の要請に応じて個別に優先関係を設定できるプリンタドライバプログラムを提供することを目的としている。
【課題を解決するための手段】
【００１４】
かかる目的を達成するための本発明の要旨とするところは、次の各項の発明に存する。
【００１５】
[１]操作部と表示部を備える情報処理装置で実行されるプリンタドライバプログラムであって、
前記表示部に、設定画面を表示させる表示制御ステップと、
前記操作部にて設定項目に対する設定操作を受ける設定受付ステップと、
禁則関係にある２つの設定項目のうちのいずれか一方を高優先度に設定する操作を受け付けてその設定内容を登録する優先度設定ステップと、
禁則関係にある２つの設定項目のうちの一方の設定項目に対する設定操作を受けたとき、他方の設定項目が未設定であって前記一方の設定項目が高優先度に設定されている場合は、以後の前記他方の設定項目の設定を禁止する第１禁則回避ステップと、
禁則関係にある２つの設定項目のうちの一方の設定項目に対する設定操作を受けたとき、他方の設定項目が設定済みであって前記２つの設定項目のいずれも高優先度に設定されていない場合、および、前記他方の設定項目が設定済みであって前記一方の設定項目が高優先度に設定されている場合は、前記他方の設定項目の設定を解除する第２禁則回避ステップと、
を有する
ことを特徴とするプリンタドライバプログラム。
【００１６】
上記[１]に係る発明では、禁則関係にある２つの設定項目のうち高優先度の設定項目が先に設定されたときは、以後、優先度の低い方の設定項目の設定を禁止するので、該優先度の低い設定項目が後から設定されて禁則設定が発生する事態を防止することができる。
【００１７】
また、上記[１]に係る発明では、禁則関係にある２つの設定項目の優先度が同じ場合や、禁則関係にある２つの設定項目のうちの後から設定された設定項目が先に設定された設定項目より高優先度の場合は、後の設定項目が設定されたときに、先に設定されていた設定項目の設定が自動で解除される。
【００１８】
このように、一律に後優先でなく、禁則関係にある２つの設定項目毎に、個別に優先度を設定できるので、個別の要請に対応した禁則処理が可能になり、ユーザの利便性が向上される。
【００１９】
[２]前記第１禁則回避ステップにおいて、前記他方の設定項目の設定釦をグレーアウトもしくは非表示にすることで、前記禁止を行う
ことを特徴とする[１]に記載のプリンタドライバプログラム。
【００２０】
[３]前記第２禁則回避ステップで前記他方の設定項目の設定を解除した場合に、前記他方の設定項目の代替の設定項目であって前記一方の設定項目と禁則関係にない所定の設定項目を自動設定するステップをさらに有する
ことを特徴とする[１]または[２]に記載のプリンタドライバプログラム。
【００２１】
上記[３]に係る発明では、禁則関係にある２つの設定項目のうちの後から設定した設定項目の設定によって先に設定された設定項目の設定が解除された場合に、解除された設定項目の代替に、後から設定された設定項目と禁則関係にない所定の設定項目を自動設定する。これにより、ユーザが該代替の設定項目を設定する手間が省略される。
【００２２】
[４]高優先度の第１設定項目に対する設定を解除した後、前記第１設定項目と禁則関係にある第２設定項目を設定する操作の流れが所定の複数回実施された場合に、前記第２設定項目が前記第１設定項目より高優先度になるように、前記登録の内容を変更するステップを有する
ことを特徴とする[１]乃至[３]のいずれか１つに記載のプリンタドライバプログラム。
【００２３】
上記[４]に係る発明では、高優先度に設定されている第１設定項目の設定を解除してから第１設定項目と禁則関係にある第２設定項目を設定するという一連の操作が繰り返された場合、現在の優先度の設定に反して、第１設定項目より第２設定項目を優先的に設定したいというユーザの傾向が読み取れるので、第１設定項目より第２設定項目が高優先度になるように設定を自動変更する。これにより、以後第１設定項目の設定中に第２設定項目を設定しようとする場合に、第１設定項目を解除する操作が不要になる。このように、ユーザの設定操作の傾向に応じてユーザの操作負担が軽減されるように設定項目の優先度を自動変更する。
【００２４】
[５]第３設定項目に対する設定操作によって、前記第２禁則回避ステップで第４設定項目の設定が解除された回数が所定の複数回を超えた場合に、前記第３設定項目を前記第４設定項目に対して高優先度に設定して登録するステップをさらに有する
ことを特徴とする[１]乃至[４]のいずれか１つに記載のプリンタドライバプログラム。
【００２５】
上記[５]に係る発明では、禁則関係にある第３設定項目と第４設定項目の間に優先度の設定が成されていない状態で、後から第３設定項目を設定したことで先に設定されていた第４設定項目の設定が自動解除される事象が繰り返し発生した場合、第４設定項目より第３設定項目を優先的に設定したいというユーザの傾向が読み取れるので、第３設定項目を第４設定項目に対して高優先度に自動設定する。これにより、第３設定項目を先に設定した場合に、以後の第４設定項目の設定が禁止される。すなわち、後から第４設定項目を設定したことによって先に設定されていた第３設定項目の設定が解除されるといった事態が防止される。
【発明の効果】
【００２６】
本発明に係るプリンタドライバプログラムによれば、禁則設定が発生した場合の対処法として、一律に後優先でなく、各種の要請に応じて個別に優先関係を設定することができる。
【図面の簡単な説明】
【００２７】
【図１】本発明の実施の形態に係るＰＣ端末の概略構成を示すブロック図である。
【図２】プリンタドライバ６０の機能構成の概略を示すブロック図である。
【図３】印刷設定時にプリンタドライバが表示させる画面の一例を示す図である。
【図４】優先度が登録されているテーブルの例を示す図である。
【図５】禁則関係にある設定項目の組み合わせ、およびその組み合わせに係る情報が登録されるテーブルの例を示す図である。
【図６】機能単位で優先度を設定する場合に表示される画面の例を示す図である。
【図７】設定禁止動作が行われる場合の具体例を示す図である。
【図８】設定内容を変更してもよいかを問うダイアログの具体例を示す図である。
【図９】設定内容を変更してもよいかを問うダイアログの他の具体例を示す図である。
【図１０】設定禁止動作が行われる場合の具体例を示す図である。
【図１１】設定禁止動作が行われる場合の他の具体例を示す図である。
【図１２】優先度が設定されていない場合において、第２禁則回避動作が行われる場合の処理を示す流れ図である。
【図１３】優先度が設定されている場合においてプリンタドライバが実行させる処理を示す流れ図である。
【図１４】図１３の処理の続きを示す流れ図である。
【図１５】図１３の処理の続きを示す他の流れ図である。
【発明を実施するための形態】
【００２８】
以下、図面に基づき本発明の実施の形態を説明する。
【００２９】
図１は、本発明の実施の形態に係る情報処理装置の例であるＰＣ端末１０の概略構成を示すブロック図である。ＰＣ端末１０は、ディスプレイ等の表示部３１、キーボードやマウスといった操作部３２等を備えた、所謂、コンピュータ装置である。ＰＣ端末１０は、ユーザから受け付けた操作に応じた印刷設定にて印刷ジョブを作成し、外部のプリンタに投入する。ＰＣ端末１０には、本発明のプリンタドライバプログラムであるプリンタドライバ６０（図２参照）がインストールされている。
【００３０】
ＰＣ端末１０は、当該ＰＣ端末１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置１５と、ネットワーク通信部２０と、表示部３１と操作部３２が接続されている。
【００３１】
ＣＰＵ１１は、ＯＳ（Operating System）プログラムをベースとし、その上で、ミドルウェアやアプリケーションプログラムなどを実行する。
【００３２】
ＲＯＭ１２には、各種のプログラムが格納されており、これらのプログラムに従ってＣＰＵ１１が各種処理を実行することでＰＣ端末１０の各機能が実現される。また、ＲＯＭ１２には、制御部としての一連の制御をＣＰＵ１１が実行するためのプログラムが格納されている。
【００３３】
ＲＡＭ１３は、ＣＰＵ１１がプログラムに基づいて処理を実行する際に各種のデータを一時的に格納するワークメモリ等として使用される。
【００３４】
不揮発メモリ１４は、電源をオフにしても記憶内容が破壊されないメモリ（フラッシュメモリ）であり、各種設定情報の保存などに使用される。
【００３５】
ハードディスク装置１５は、大容量の不揮発の記憶装置であり、ＯＳプログラム（オペレーティングシステム）や各種アプリケーションプログラム、ユーザ情報、画像データなどのデータファイル、および前述のプリンタドライバ６０（図２参照）などが保存される。
【００３６】
ネットワーク通信部２０は、ＬＡＮ(Local Area Network)などのネットワークを通じてプリンタなどの外部装置との間でデータを通信する機能を果たす。
【００３７】
表示部３１は、液晶ディスプレイ（ＬＣＤ…Liquid Crystal Display）などで構成され、各種の操作画面、設定画面などを表示する機能を果たす。操作部３２は、キーボードやマウスなどの入力装置によって構成される。
【００３８】
本発明のプリンタドライバプログラムであるプリンタドライバ６０は、外部の装置に送信するための印刷ジョブを生成する。また、主に以下の（１）〜（４）の動作をＰＣ端末１０に実行させることを特徴とする。
（１）表示部３１に設定画面を表示させる表示制御動作と、操作部３２にて設定項目に対する設定操作を受ける設定受付動作（本発明の設定受付動作ステップに相当）。
（２）禁則関係にある２つの設定項目のうちのいずれか一方を高優先度に設定する操作を受け付けてその設定内容を登録する優先度設定動作（本発明の優先度設定ステップに相当）。
（３）禁則関係にある２つの設定項目のうちの一方の設定項目に対する設定操作を受けたとき、他方の設定項目が未設定であって該一方の設定項目が高優先度に設定されている場合は、以後のその他方の設定項目の設定を禁止する設定禁止動作（本発明の第１禁則回避ステップに相当）。
（４）禁則関係にある２つの設定項目のうちの一方の設定項目に対する設定操作を受けたとき、他方の設定項目が設定済みであって該２つの設定項目のいずれも高優先度に設定されていない場合、および、該他方の設定項目が設定済みであって該一方の設定項目が高優先度に設定されている場合は、該他方の設定項目の設定を解除する設定解除動作（本発明の第２禁則回避ステップに相当）。
【００３９】
このように、本発明の実施の形態に係るプリンタドライバ６０によれば、禁則関係にある２つの設定項目毎に、個別に優先度を設定できるので、個別の要請に対応した禁則処理（前述の設定禁止動作または設定解除動作）が可能になり、ユーザの利便性が向上する。
【００４０】
図２は、プリンタドライバ６０の機能構成の概略を示すブロック図である。プリンタドライバ６０は、ＵＩモジュール６１と、禁則処理モジュール６２と、グラフィック描画モジュール６３と、コマンド発行モジュール６４と、その他モジュール６５で構成されている。
【００４１】
ＵＩモジュール６１は、印刷設定に係る設定画面や、各種のダイアログなどを表示する機能を果たす。ＵＩモジュール６１は、該設定画面を表示するためのＵＩ機能表示機能７１と、前述の優先度設定動作を実行する場合に、禁則関係にある２つの設定項目のうちのいずれか一方を高優先度に設定する操作を受け付けるためのダイアログを表示する「禁則ルール設定」ダイアログ表示機能７２と、前述の設定解除動作（禁則関係にある一方の設定項目が後から設定されたことにより先に設定されていた設定項目の設定を解除する動作）を実行する場合に、他方の設定項目の設定を解除する旨を通知するためのダイアログを表示する「設定変更の確認」メッセージダイアログ表示機能７３で構成される。
【００４２】
禁則処理モジュール６２は、前述の優先度設定動作、設定禁止動作（禁則関係にある２つの設定項目のうち高優先度の設定項目が先に設定された場合に低優先度の他方の設定項目の以後の設定を禁止する動作）、設定解除動作（禁則関係にある一方の設定項目が後から設定されたことにより先に設定されていた設定項目の設定を解除する動作）およびそれに関連する動作を実行する機能を果たす。禁則処理モジュール６２は、禁則関係にある設定項目の組み合わせの情報が登録される禁則条件テーブル８１と、優先度を設定した設定項目を後述する優先度テーブル８００（図４参照）に登録するための優先度設定処理８２と、設定解除動作における設定の解除時に禁則設定を解除するために設定の変更を行う設定変更処理８３と、一の設定項目が設定された場合に、設定済みの項目であって該一の設定項目と禁則関係にある他の設定項目と、該一の設定項目の優先度を比較する優先度比較処理８４と、設定禁止動作にて他方の設定項目の設定を禁止する場合に該設定項目をグレーアウトする機能マスク処理８５で構成される。
【００４３】
グラフィック描画モジュール６３は、設定中の内容に基づいて印刷ジョブの作成に使用する画像データを作成する機能を果たす。コマンド発行モジュール６４は、設定中の内容に基づいて印刷ジョブを作成する機能を果たす。その他のモジュール６５は、前述した機能以外の機能（たとえば、印刷プレビューを作成する機能など）を果たす。
【００４４】
図３は、印刷設定を行う場合にプリンタドライバ６０が表示部３１に表示させる印刷設定画面１００を示す。印刷設定画面１００には、印刷設定等に係る各種の設定項目を設定するための複数のタブ（タブ１０１〜１０７）が表示されている。ユーザは希望する設定内容に応じたタブを選択し（開き）、表示された設定項目に対して設定操作を行う。なお、図３では、タブ１０７が選択されており（開かれており）、優先度設定動作を行うための画面（たとえば、後述するダイアログ７０１（図６参照）等）を表示させるための禁則ルール設定釦１０８が表示されている。
【００４５】
次に、優先度について説明する。本発明の実施の形態では、一の設定項目に優先度を設定する場合、該一の設定項目を図４に示す優先度テーブル８００に登録する。
【００４６】
優先度テーブル８００には複数の設定項目が一列に並べられて登録される。設定項目の列のうち、一番上の設定項目には最も高い優先度が設定され、下に向かうにつれて優先度は低くなっていく。図４では、上から順に光沢モード、厚紙、両面印刷の３つの設定項目が登録されており、それらの優先関係は光沢モード＞厚紙＞両面印刷となっている。ユーザは各設定項目の優先度を変更したい場合は、優先度テーブル８００における設定項目の並び順を変更する。
【００４７】
なお、優先度テーブル８００に登録されている設定項目は、優先度テーブル８００に登録されていない設定項目よりも優先度が高いものとして扱う。優先度テーブル８００に登録されていない設定項目同士は、優先度が同等であるものとして扱う。
【００４８】
図５は、禁則関係にある２つの設定項目の組み合わせ、およびその組み合わせごとに優先度などの情報が登録される禁則条件テーブル８１を示す。禁則条件テーブル８１は、禁則関係にある設定項目の欄（設定項目１の欄と設定項目２の欄）、優先設定の欄、設定項目１の代替設定項目の欄、設定項目２の代替設定項目の欄で構成されている。
【００４９】
禁則関係にある設定項目の欄には、禁則関係にある２つの設定項目の組み合わせが登録されている。具体的には、設定項目１の欄に登録されている設定項目と、設定項目２の欄に登録されている設定項目の組み合わせが、禁則関係にある組み合わせとなる。そして、この組み合わせに係る情報が、優先設定の欄、設定項目１の代替設定項目の欄、設定項目２の代替設定項目の欄に登録される。
【００５０】
優先設定の欄には、設定項目１の欄と設定項目２の欄に登録されている設定項目のうち、優先度の高い方の設定項目（図中ではその設定項目が登録されている欄の番号）が登録されている。なお、設定項目１の欄と設定項目２の欄に登録されている設定項目が両方とも図４の優先度テーブル８００に登録されていない場合は、両者の優先度が同等である旨（図中では「-」）が登録されている。図４の優先度テーブル８００の内容をユーザが変更すると、その変更後の内容に応じて図５の禁則条件テーブル８１の登録内容（主に優先設定の欄）は自動で更新される。
【００５１】
設定項目１の代替設定項目の欄には、設定項目２の設定項目が設定された場合に前述の設定解除動作によって、設定項目１の設定項目が解除された場合に、その解除された設定項目の代替の設定項目として自動で設定される設定項目が登録されている。なお、図中では、代替の設定項目が無い場合は「-」が登録されている。
【００５２】
設定項目２の代替設定項目の欄には、設定項目１の設定項目が設定された場合に前述の設定解除動作によって、設定項目２の設定項目が解除された場合に、その解除された設定項目の代替の設定項目として自動で設定される設定項目が登録されている。なお、図中では、代替の設定項目が無い場合は「-」が登録されている。
【００５３】
なお、図４、図５では設定項目単位で優先度を設定していたが、機能単位に優先度を設定するようにしてもよい。図６は、図３の禁則ルール設定釦を押下した場合に表示される画面であって、機能単位に優先度を設定したり、優先度を変更したりするための画面の例であるダイアログ７０１を示す。
【００５４】
ダイアログ７０１にて、機能単位に優先度を設定する場合の流れについて説明する。
１、ダイアログ７０１にて、機能一覧７０５から、優先度を設定したい機能を選択する。
２、名称欄７０３にて、任意の名称を入力する。
３、追加ボタン７０６を押す。
４、禁則ルール設定一覧７０２（図４の優先度テーブル８００に相当）に登録される。
１から４の手順によって、禁則ルール設定一覧７０２に機能が登録される。禁則ルール設定一覧７０２に登録された機能は優先度が設定されたものとする。この１〜４の手順を繰り返すことで、複数の機能に優先度が設定される。
【００５５】
禁則ルール設定一覧７０２では、複数の機能が登録される場合は、それらの機能は、登録された順番で上から順に一列に並べられて登録される。禁則ルール設定一覧７０２に登録された各機能の優先度は、図４の優先度テーブル８００と同じく、上側に登録されている機能ほど高い優先度が設定されているものとする。なお、ユーザは、登録されている機能の並び順を任意の順番に変更することができる。
【００５６】
禁則ルール設定一覧７０２から登録されている機能を削除する場合は、禁則ルール設定一覧７０２で削除する機能を選択し、削除ボタン７０４を押すことにより削除される。
【００５７】
図６のダイアログ７０１にて機能単位に優先度が設定されたら、プリンタドライバ６０は、図５の禁則条件テーブル８１にて、設定項目１と設定項目２がいずれの機能に属しているかを調べるとともに、その機能の優先度を比較し、高優先度の方の設定項目を優先設定の欄に登録する。
【００５８】
次に、前述した設定禁止動作および設定解除動作について説明する。まず、設定解除動作について具体例を挙げて説明する。
【００５９】
図７は図３のタブ１０５（品質のタブ）が選択された（開かれた）場合に、表示される設定欄２０１にて「カラー設定」の機能に係る設定および「光沢モード」の機能に係る設定を行う場合の様子を示す。
【００６０】
設定欄２０１では、「カラー設定」については、オートカラー項目２０３と、グレースケール項目２０４の２つの設定項目のうちのいずれか１つを選択して設定するものとし、「光沢モード」については、「光沢モード」に係る設定項目である光沢モード項目２０５への設定操作によりＯＮとＯＦＦを切り替えるものとする。
【００６１】
なお、本発明の実施の形態では、グレースケール項目２０４と光沢モード項目２０５は禁則関係にあるものとし、図７ではいずれにも優先度が設定されていないものとする。以下、禁則関係にあるグレースケール項目２０４と光沢モード項目２０５が設定され、設定解除動作が実行されるまでの流れについて２つの具体例を挙げて説明する。
【００６２】
（具体例１、先にグレースケールを設定し、後から光沢モードをＯＮにした場合）
図７（Ａ）は、「カラー設定」についてはグレースケール項目２０４が設定されており、「光沢モード」についてはＯＦＦの状態となっている。まず、図７（Ａ）の状態にて、光沢モード項目２０５への設定操作を受けたら、光沢モード項目２０５がＯＮの状態に移行し禁則設定が発生する（Ｓ１）。
【００６３】
この時、プリンタドライバ６０は、「「カラー設定」を「オートカラー」に変更してもよいですか。」というメッセージを示すダイアログ３０１（図８参照）を表示させる（Ｓ２）。図８はダイアログ３０１の例を示す。その後、ダイアログ３０１にて「はい」釦が押下されたら（Ｓ３）、プリンタドライバ６０は、グレースケール項目２０４の設定を解除するとともに、オートカラー項目２０３を設定して、図７（Ｂ）の状態に移行する。これにより、禁則設定が解消される。
【００６４】
このように、ある２つの設定項目のうちの一方の設定項目に対する設定操作を受けたとき、他方の設定項目が設定済みであって該２つの設定項目のいずれも優先度が設定されていない場合、設定済みであった他方の設定項目の設定を解除する。
【００６５】
なお、具体例１では、設定解除避動作にてグレースケール項目２０４の設定を解除した場合に、オートカラー項目２０３が自動設定されている。このように、プリンタドライバ６０は、設定解除動作にて前述の設定済みの設定項目（他方の設定項目）の設定を解除した場合に、その解除された設定項目の代替の設定項目であって、前述の一方の設定項目と禁則関係にない所定の設定項目があれば、その設定項目を自動で設定する。
【００６６】
なお、本発明の実施の形態ではプリンタドライバ６０は、設定解除動作を実行した場合に図５の禁則条件テーブル８１を参照し、設定を解除した設定項目に対応する代替設定項目が登録されている場合に、その代替設定項目を自動で設定するものとする。
【００６７】
（具体例２、先に光沢モードをＯＮにして、後からグレースケールを設定した場合）
オートカラー項目２０３が設定されており、光沢モード項目２０５がＯＮの状態（図７（Ｂ）の状態）にて、カラー設定の設定をオートカラー項目２０３からグレースケール項目２０４に変更する操作を受けた場合に、禁則設定が発生する（Ｓ１１）。
【００６８】
この時、プリンタドライバ６０は、「光沢モードをＯＦＦに変更してもよいですか。」というメッセージを示すダイアログ４０１（図９参照）を表示させる（Ｓ１２）。図９はダイアログ４０１の例を示す。その後、ダイアログ４０１にて「はい」釦が押下されたら（Ｓ１３）、プリンタドライバ６０は、光沢モードをＯＮからＯＦＦに変更して（光沢モードＯＮの状態を解除し）、図７（Ａ）の状態に移行する。これにより、禁則設定が解消される。
【００６９】
なお、前述の具体例１および具体例２では、グレースケール項目２０４と光沢モード項目２０５のいずれにも優先度が設定されていない場合を前提に説明したが、グレースケール項目２０４と光沢モード項目２０５のうち、光沢モード項目２０５が高優先度に設定されている場合は具体例１（グレースケールが設定済みの状態で後から光沢モードをオンにする場合）のみが、グレースケール項目２０４が高優先度に設定されている場合は具体例２（光沢モードがオンの状態で後からグレースケールを設定する場合）のみが成立する。
【００７０】
具体的には、光沢モード項目２０５が高優先度に設定されている場合は、具体例１（グレースケールが設定済みの状態で後から光沢モードをオンにする場合）にて、プリンタドライバ６０が、光沢モード項目２０５への設定操作を受けた時に、光沢モード項目２０５と禁則関係にある設定中の設定項目（この場合はグレースケール項目２０４）があるか否か、およびその設定項目よりも光沢モード項目２０５が高優先度に設定されているかを、図５の禁則条件テーブル８１を参照して調べる。そして光沢モード項目２０５が高優先度に設定されている場合にのみ、設定解除動作を実行する。
【００７１】
グレースケール項目２０４の方に高優先度が設定されている場合は、具体例２（光沢モードがオンの状態で後からグレースケールを設定する場合）にて、プリンタドライバ６０が、オートカラー項目２０３からグレースケール項目２０４に設定を変更する設定操作を受けた時に、グレースケール項目２０４と禁則関係にある設定中の設定項目（この場合は光沢モード項目２０５）があるか否か、およびその設定項目よりもグレースケール項目２０４が高優先度に設定されているかを、図５の禁則条件テーブル８１を参照して調べる。そしてグレースケール項目２０４が高優先度に設定されている場合にのみ、設定解除動作を実行する。
【００７２】
次に、設定禁止動作について図１０および図１１を参照しつつ、具体例を挙げて説明する。図１０および図１１は図７と同じく設定欄２０１にて「カラー設定」の設定および「光沢モード」に係る設定を行う様子を示す。なお、図１０および図１１ではグレースケール項目２０４と光沢モード項目２０５のうち、グレースケール項目２０４が高優先度に設定されている場合を例に説明する。
【００７３】
（具体例３、無設定の状態からグレースケールを設定した場合）
オートカラー項目２０３が設定されており、光沢モード項目２０５がＯＦＦの状態である図１０（Ａ）にて、オートカラー項目２０３からグレースケール項目２０４に設定が変更された場合、グレースケール項目２０４と禁則関係にある未設定の設定項目（ここでは光沢モード項目２０５）と、グレースケール項目２０４に設定されている優先度をプリンタドライバ６０が禁則条件テーブル８１を参照して調べる（Ｓ２１）。そして、グレースケール項目２０４が光沢モード項目２０５より高優先度に設定されている場合は、光沢モード項目２０５をグレーアウトで表示し（グレーアウトで表示された光沢モード項目２０５を光沢モード項目２０５Ｇとする）、以後の光沢モード項目２０５Ｇへの設定を禁止する（Ｓ２２）。これにより、禁則設定の発生が防止される。
【００７４】
（具体例４、先に光沢モードをＯＮにして、後からグレースケールを設定した場合）
オートカラー項目２０３が設定されており、光沢モード項目２０５がＯＮの状態である図１１（Ａ）にて、オートカラー項目２０３からグレースケール項目２０４に設定が変更された場合、禁則設定が発生する（Ｓ３１）。
【００７５】
この時、プリンタドライバ６０は「光沢モードをＯＦＦに変更してもよいですか。」というメッセージを示すダイアログ４０１（図９参照）を表示させる（Ｓ３２）。その後、ダイアログ４０１にて「はい」釦が押下されたら（Ｓ３３）、プリンタドライバ６０は、光沢モードをＯＮからＯＦＦに変更する（光沢モードＯＮの状態を解除する）とともに、光沢モード項目２０５をグレーアウトで表示し、以後の光沢モード項目２０５Ｇへの設定を禁止して（Ｓ３４）図１１（Ｂ）の状態に移行する。これにより、発生した禁則設定が解消されるとともに、以後、禁則設定の発生が防止される。
【００７６】
なお、図１１では、光沢モード項目２０５をグレーアウトで表示するとともに、この設定項目を設定すると禁則設定が発生する旨を示す禁止アイコン２０６も併せて表示される。ユーザは禁止アイコン２０６を視認することで、該設定項目を設定すると、禁則設定が発生することを確認することができる。
【００７７】
また、図１１（Ｂ）の状態にて、グレースケール項目２０４からオートカラー項目２０３に設定が変更された場合は、プリンタドライバ６０は、光沢モード項目２０５Ｇのグレーアウトを解除するとともに（光沢モード項目２０５に戻す）、禁止アイコン２０６を削除する。これにより再度光沢モード項目２０５への設定操作が可能となる。
【００７８】
図１２は、優先度が設定されていない設定項目（図中では項目と省略して示す）への設定操作を受けた場合にプリンタドライバ６０がＰＣ端末１０に実行させる処理を示す。
【００７９】
まず、設定項目Ａに対する設定操作を受けて、該設定項目Ａが設定された場合に（ステップＳ１０１）、設定項目Ａと禁則関係にある設定項目（設定項目Ｂとする）があるか否かを調べる（ステップＳ１０２）。
【００８０】
設定項目Ａと禁則関係にある設定項目Ｂが無い場合は（ステップＳ１０２；Ｎｏ）、本処理を終了する。設定項目Ｂがある場合は（ステップＳ１０２；Ｙｅｓ）、その設定項目Ｂが設定中か否かを調べる（ステップＳ１０３）。
【００８１】
設定項目Ｂが設定されていなければ（ステップＳ１０３；Ｎｏ）、本処理を終了する。設定項目Ｂが設定中である場合は（ステップＳ１０３；Ｙｅｓ）、設定項目Ｂの設定を、設定項目Ａと禁則関係にない他の設定に変更してもよいか（もしくは設定項目Ｂの設定を解除してもよいか）を問うメッセージを示すダイアログを表示する（ステップＳ１０４）。
【００８２】
ステップＳ１０４で表示したダイアログ内の「いいえ」釦が押下された場合は（ステップＳ１０５；Ｎｏ）、設定項目Ａの設定項目を設定前の状態に戻して（ステップＳ１０６）、本処理を終了する。ステップＳ１０４で表示したダイアログ内の「はい」釦が押下された場合は（ステップＳ１０５；Ｙｅｓ）、設定項目Ｂの設定を、設定項目Ａと禁則関係にない他の設定に変更して（ステップＳ１０７）、本処理を終了する。
【００８３】
図１３〜図１５は、機能単位に優先度が設定されている場合において、優先度が設定されている機能の設定項目への設定操作を受けたときにプリンタドライバ６０がＰＣ端末１０に実行させる処理を示す。
【００８４】
まず、設定項目Ａへの設定操作を受けて該設定項目Ａが設定された場合に（ステップＳ２０１）、設定項目Ａと禁則関係にある設定項目（設定項目Ｂ）があるか否かを調べる（ステップＳ２０２）。
【００８５】
設定項目Ａと禁則関係にある設定項目Ｂが無い場合は（ステップＳ２０２；Ｎｏ）、本処理を終了する。設定項目Ｂがある場合は（ステップＳ２０２；Ｙｅｓ）、その設定項目Ｂの属する機能（機能Ｂと呼ぶ）に設定されている優先度が、設定項目Ａの属する機能（機能Ａと呼ぶ）に設定されている優先度よりも高優先度か否かを調べる（ステップＳ２０３）。
【００８６】
機能Ｂが機能Ａより低優先度に設定されている場合は（ステップＳ２０３；Ｎｏ）、図１４のステップＳ３０１に進む。機能Ｂと機能Ａの優先度が同じ場合、もしくは機能Ｂが機能Ａより高優先度に設定されている場合は（ステップＳ２０３；Ｙｅｓ）図１５のステップＳ４０１に進む。
【００８７】
図１４のステップＳ３０１では、設定項目Ｂが設定中か否かを調べる（ステップＳ３０１）。設定項目Ｂが設定中でなければ（ステップＳ３０１；Ｎｏ）、ステップＳ３０６に進む。設定項目Ｂが設定中である場合は（ステップＳ３０１；Ｙｅｓ）、設定項目Ｂの設定を解除し、機能Ａと禁則関係にない他の設定に変更してもよいか（もしくは設定項目Ｂの解除のみを実行してもよいか）を問うメッセージを示すダイアログを表示する（ステップＳ３０２）。
【００８８】
ステップＳ３０２で表示したダイアログ内の「いいえ」釦が押下された場合は（ステップＳ３０３；Ｎｏ）、設定項目Ａを設定前の状態に戻して（ステップＳ３０４）、本処理を終了する。
【００８９】
ステップＳ３０２で表示したダイアログ内の「はい」釦が押下された場合は（ステップＳ３０３；Ｙｅｓ）、設定項目Ｂの設定を解除するとともに、機能Ａと禁則関係にない他の設定に変更して（ステップＳ３０５）、ステップＳ３０６に進む。
【００９０】
ステップＳ３０６では、機能Ｂに係る１または複数の設定項目のうち、機能Ａと禁則関係にない設定項目があるか否かを調べる。機能Ｂに係る（１または複数の）設定項目のうち、機能Ａと禁則関係にない設定項目が存在しない場合は（ステップＳ３０６；Ｎｏ）、機能Ｂに係る全ての設定項目をグレーアウトして表示し（ステップＳ３０８）、本処理を終了する。
【００９１】
機能Ｂに係る設定項目の中の一部に機能Ａと禁則関係にない設定項目が存在する場合は（ステップＳ３０６；Ｙｅｓ）、機能Ｂの設定項目のうち、機能Ａと禁則関係にある設定項目に、設定すると禁則設定が発生することを示す禁止アイコン（図１１の禁止アイコン２０６を参照）を併せて表示するようにして（ステップＳ３０７）本処理を終了する。
【００９２】
図１５のステップＳ４０１では、機能Ｂが機能Ａより高優先度に設定されているので、設定項目Ｂが設定される。次に、設定項目Ａの設定を解除し、機能Ｂと禁則関係にない他の設定に変更してもよいか（もしくは設定項目Ａの解除のみを実行してもよいか）を問うメッセージを示すダイアログを表示する（ステップＳ４０２）。
【００９３】
ステップＳ４０２で表示したダイアログ内の「いいえ」釦が押下された場合は（ステップＳ４０３；Ｎｏ）、設定項目Ｂを設定前の状態に戻して（ステップＳ４０６）、本処理を終了する。
【００９４】
ステップＳ４０２で表示したダイアログ内の「はい」釦が押下された場合は（ステップＳ４０３；Ｙｅｓ）、設定項目Ａの設定を解除するとともに、機能Ｂと禁則関係にない他の設定に変更する（ステップＳ４０４）。
【００９５】
次に、機能Ａに係る１または複数の設定項目のうち、機能Ｂと禁則関係にない設定項目があるか否かを調べる（ステップＳ４０５）。機能Ａに係る設定項目のうち、機能Ｂと禁則関係にない設定項目が存在しない場合は（ステップＳ４０５；Ｎｏ）、機能Ａに係る全ての設定項目をグレーアウトして表示し（ステップＳ４０７）、本処理を終了する。
【００９６】
機能Ａに係る設定項目の中に機能Ｂと禁則関係にない設定項目が存在する場合は（ステップＳ４０５；Ｙｅｓ）、機能Ａの設定項目のうち、機能Ｂと禁則関係にある設定項目に禁止アイコン（図１１の禁止アイコン２０６を参照）を併せて表示するようにして（ステップＳ４０８）本処理を終了する。
【００９７】
このように、プリンタドライバ６０は、禁則関係にある２つの設定項目毎に、個別に優先度を設定したり、機能単位で優先度を設定したりすることができる。これにより、個別の要請に対応して設定禁止動作および設定解除動作を行うことが可能となり、ユーザの利便性が向上する。
【００９８】
以下、プリンタドライバ６０が、各設定項目に設定されている優先度を自動で変更する３つの変形例について説明する。
【００９９】
（変形例１、自動で優先度を変更する）
高優先度に設定されている第１設定項目に対する設定を解除した後、その第１設定項目と禁則関係にある第２設定項目を設定する操作の流れが所定の複数回実施された場合に、該第２設定項目が第１設定項目より高優先度になるように、優先度の登録内容を変更する。
【０１００】
たとえば、図１１（Ｂ）の状態にて、グレースケール項目２０４の設定が解除された後、光沢モード項目２０５をＯＮにする操作の流れが所定の複数回実施された場合は、プリンタドライバ６０は、「グレースケール項目２０４よりも光沢モード項目２０５を優先的に設定する）というユーザの傾向があると判断し光沢モード項目２０５の優先度がグレースケール項目２０４より高優先度になるように、優先度の設定を自動で変更する。
【０１０１】
光沢モード項目２０５の優先度を上げることで光沢モード項目２０５の優先度がグレースケール項目２０４より高優先度になるようにしてもよいし、グレースケール項目２０４の優先度を下げる（優先度テーブル８００からの削除も含む）ことで光沢モード項目２０５の優先度がグレースケール項目２０４より高優先度になるようにしてもよい。
【０１０２】
なお、他の例としてたとえば、以下の（１）と（２）がある。
（１）厚紙の設定項目が設定されている状態で、厚紙と禁則関係にある両面印刷の設定項目が選択され、設定解除動作により厚紙の設定が解除され、代わりに普通紙の設定項目が設定されるという操作の流れが所定の複数回実施された場合に、プリンタドライバ６０は、両面印刷の優先度が厚紙より高優先度になるように優先度の設定を自動で変更する。
【０１０３】
（２）両面印刷が設定されている状態から片面印刷に変更する操作の流れが所定の複数回実施された場合に、プリンタドライバ６０は、片面印刷の優先度が両面印刷より高優先度になるように優先度の設定を自動で変更する。
【０１０４】
このように、各設定項目に設定された優先度が、ユーザの設定操作の傾向に応じて自動的に変更されるので、ユーザにとって利便性が向上する。所定の複数回は、たとえば、５回等ユーザが適宜設定すればよい。第１設定項目よりも第２設定項目の方を優先して設定している傾向を認識できる回数であればよい。
【０１０５】
（変形例２、自動で優先度を新たに設定する）
第３設定項目と第４設定項目が禁則関係にあって優先度が設定されていない場合に、後から行われた第３設定項目に対する設定操作に起因して設定解除動作が実行されて先に設定されていた第４設定項目の設定が解除された回数が所定の複数回を超えた場合に、第３設定項目が第４設定項目に対して高優先度になるように、優先度を自動で設定する。
【０１０６】
たとえば、図７で説明した具体例１のように、光沢モード項目２０５がＯＮに設定されたことで、設定解除動作が実行されてグレースケール項目２０４の設定が解除された回数が所定の複数回を越えた場合は、プリンタドライバ６０は、グレースケール項目２０４よりも光沢モード項目２０５の方が優先して設定される傾向にあると判断し、光沢モード項目２０５の優先度をグレースケール項目２０４より高優先度になるように、優先度を自動で設定する。このように、ユーザの設定操作の傾向に応じて優先度が自動的に設定されるので、ユーザにとって利便性が向上する。
【０１０７】
なお、所定の複数回は、たとえば、５回等ユーザが適宜設定すればよい。第４設定項目よりも第３設定項目の方を優先して設定している傾向を認識できる回数であればよい。また、第３設定項目が設定されて設定解除動作により第４設定項目の設定が解除された回数と、第４設定項目が設定されて設定解除動作により第３設定項目の設定が解除された回数の差が一定以上になった場合に、第３設定項目が第４設定項目に対して高優先度になるように、優先度を自動で設定するようにしてもよい。
【０１０８】
（変形例３、エコロジーに反する操作の傾向に応じて優先度を変更）
ある機能において、設定した場合に他方の設定項目よりもエコロジーに貢献する設定項目がある。たとえば、片面/両面印刷の機能では、消費される紙の枚数が少ないので、片面印刷よりも両面印刷の方がエコロジーに貢献することになる。プリンタドライバ６０は、ある設定項目（第１エコ項目）が設定されている状態で、その第１エコ項目よりエコロジーに反する設定項目に設定を変更する操作の流れを所定の複数回実施された場合に、第１エコ項目と禁則関係にある他の設定項目よりも低優先度になるよう第１エコ項目の優先度の設定を変更する。
【０１０９】
なお、第１エコ項目よりエコロジーに反する設定項目に設定を変更する操作の流れを所定の複数回実施された場合に、第１エコ項目と禁則関係にある他の設定項目よりも高優先度になるよう第１エコ項目の優先度の設定を変更するようにすれば、エコロジーに貢献する設定項目についての設定を促すことができる。
【０１１０】
このように変形例１〜３では、ユーザの設定の傾向に応じて、設定項目に対する優先度の設定、変更、削除を自動で行う。これにより、ユーザの利便性が向上する。
【０１１１】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１２】
本発明の実施の形態では、設定禁止動作において、設定中の設定項目と禁則関係にあって、その設置中の設定項目よりも優先度の低い設定項目をグレーアウトで表示していたが、グレーアウトではなく非表示にしてもよい。また、通常表示するが、優先度の低い設定項目への設定操作を無効とするようにしてもよい。
【０１１３】
本発明の実施の形態では、図４の優先度テーブル８００に登録することで、設定項目に優先度を設定していたが、設定項目に優先度を設定する方法はこれに限らない。
【０１１４】
本発明の実施の形態では、複数の設定項目に優先度が設定されている場合は、設定項目毎に異なる優先度が設定されていたが、複数の設定項目に同じ優先度を設定してもよい。禁則設定が発生したときに、その禁則設定の発生の原因となった２つの設定項目に同じ優先度が設定されている場合は、優先度が設定されていない場合（たとえば、図７等参照）と同様の動作、処理を行えばよい。
【符号の説明】
【０１１５】
１０…ＰＣ端末
１１…ＣＰＵ
１２…ＲＯＭ
１３…ＲＡＭ
１４…不揮発メモリ
１５…ハードディスク装置
２０…ネットワーク通信部
３１…表示部
３２…操作部
６０…プリンタドライバ
６１…ＵＩモジュール
６２…禁則処理モジュール
６３…グラフィック描画モジュール
６４…コマンド発行モジュール
６５…その他モジュール
７１…ＵＩ機能表示機能
７２…「禁則ルール設定」ダイアログ表示機能
７３…「設定変更の確認」メッセージダイアログ表示機能
８１…禁則条件テーブル
８２…優先度設定処理
８３…設定変更処理
８４…優先度比較処理
８５…機能マスク処理
１００…画面
１０１…タブ
１０２…タブ
１０３…タブ
１０４…タブ
１０５…タブ
１０６…タブ
１０７…タブ
１０８…禁則ルール設定釦
２０１…設定欄
２０３…オートカラー項目
２０４…グレースケール項目
２０５…光沢モード項目
２０５Ｇ…光沢モード項目（グレーアウトで表示中）
２０６…禁止アイコン
３０１…ダイアログ
４０１…ダイアログ
７０１…ダイアログ
７０２…禁則ルール設定一覧
７０３…名称欄
７０４…削除釦
７０５…機能一覧
７０６…追加釦
８００…優先度テーブル
【図１】
2017076199.tif 000003
【図２】
2017076199.tif 000004
【図４】
2017076199.tif 000005
【図５】
2017076199.tif 000006
【図７】
2017076199.tif 000007
【図８】
2017076199.tif 000008
【図９】
2017076199.tif 000009
【図１０】
2017076199.tif 000010
【図１１】
2017076199.tif 000011
【図１２】
2017076199.tif 000012
【図１３】
2017076199.tif 000013
【図１４】
2017076199.tif 000014
【図１５】
2017076199.tif 000015
【図３】
2017076199.tif 000016
【図６】
2017076199.tif 000017